(57)【要約】【課題】  簡素な構成のままで、洗浄清掃運転後にポンプの送水を停止しても洗浄水のパイプ内の残留がなく、床面の洗浄をおこなったあとでそのまま放置しても衛生面が維持でき、通行人がスリップする様な危険の心配もない利便性の高い床面洗浄清掃機を提供する。【解決手段】  送水用のポンプ９からの送水ルートに分岐部３０を設けて一方はブラシ室７Ｓに洗浄水を送水するマニホールド９Ｍに繋げ、他方は吸水／吸気ダクトルートとしての真空路８に対してオリフィス部３２を設けて連通させる。【選択図】      図１
2008253365.tif 000002
【特許請求の範囲】
【請求項１】
送水用ポンプによって送水ルートを通して送られて来る洗浄水の給水を受けながら、洗浄ブラシを回転又は往復運動することによって床面の洗浄を行い、ブラシ洗浄後の汚水を吸水／吸気ルートを通して真空源側に吸引するように構成した床面洗浄清掃機であって、
上記送水ルートの途中にリターンルートを分岐し、このリターンルートの先端部にオリフィス部を設けて、このオリフィス部を上記吸水／吸気ルートに連通接続せしめたことを特徴とする床面洗浄清掃機における洗浄水の滴下・流出防止装置。
【請求項２】
前記送水ルートの先端部に複数の散水ノズルを備えたマニホールドを設け、これ等各散水ノズルのノズル面積の総和に対して、前記オリフィス部の連通径面積の比が、５対１以下に設定されていることを特徴とする請求項１記載の床面洗浄清掃機における洗浄水の滴下・流出防止装置。
【請求項３】
前記床面洗浄清掃機の動作を停止する際に、予め設定したタイマーの時間分だけ、前記真空源による吸水／吸気運転が前記送水用ポンプによる送水運転よりも長く継続して、その後、真空源による吸水／吸気運転が停止するように構成したことを特徴とする請求項１又は２記載の床面洗浄清掃機における洗浄水の滴下・流出防止装置。
【発明の詳細な説明】
【技術分野】
【０００１】
本発明は、走行しながら洗浄水の給水と洗浄ブラシの回転または往復運動を行って床面を洗浄する床面洗浄清掃機の技術分野に属するものであって、具体的には、床面洗浄清掃機の運転停止時に洗浄水が床面に滴下或いは流出することを防止するように工夫した床面洗浄清掃機における洗浄水の滴下・流出防止装置に関するものである。
【背景技術】
【０００２】
操作ハンドルを押して走行させながらブラシケース内部に設けた洗浄ブラシを回転させ、且つ、タンク内の洗浄水をポンプによって散水ノズルよりこの洗浄ブラシ側に供給することによって床面をブラッシングし、ブラッシングによって発生した汚水をブロアーの吸引作用が及ぶスキージで上記タンクに回収し、且つ、回収した汚水を濾過して再び洗浄水として循環利用するように構成した床面洗浄清掃機は、例えば、本出願人による特許文献１等に開示されているように既に公知であって、主に小規模オフィス等のカーペット・Ｐタイル・セラミックタイル・フローリングなど、様々な材質の床面の清掃を想定し、回転する洗浄ブラシの部分を机の下の様な狭い場所にも差し込んで簡単に、且つ、確実に洗浄できるように工夫したアップライト型の床面洗浄清掃機が実現されている。
【０００３】
しかし、上記従来の床面洗浄清掃機には、以下に述べる如き欠点があった。
特許文献１に記載の「アップライト型の床面洗浄清掃機」においては、当該公報に記載のポンプ９で送水した洗浄水はノズル２１Ａを通してスキージ室２０Ｈに供給されるが、運転を停止してポンプ９の送水を止めた後には、送水パイプ９Ｂから複数の先端口９Ｅにかけてのルートに洗浄水が残留し、その送水パイプ内の残留洗浄水が何らかの拍子（床面洗浄清掃機の移動、外からの衝撃など）でノズルからボタ落ちすることがある。その原因は、ポンプ９からノズルまでのルートには、ポンプ９の送水を停止しただけでは必ず送水用の洗浄水が残ってしまうためで、装置の移動などで機体傾けたり、段差を乗り越える際の衝撃などで、部分的に残留した洗浄水がノズルから落ちることは容易には防ぐことができない。
【０００４】
この様に洗浄水のボタ落ち（流出）が生じると、そこだけが濡れたまま放置されてしまい極めて不衛生であり、且つ、部分的に濡れた床面が残ってしまうと通行者が滑ったりして危険であり、また、洗浄水のボタ落ちがブラシにかかる場合にはブラシの乾燥が妨げられ、洗浄時の汚物などが付着したブラシがいつまでも濡れたままで放置されることも、極めて不衛生であり問題となっていた。
【０００５】
さらに、残留した洗浄水が細い送水パイプ内に残つたまま長時間放置した場合、水分が蒸発して洗剤の成分が結晶化した水垢がパイプ内に堆積してパイプ内部が詰まってしまい、パイプの交換が必要となる場合もある。
【０００６】
そこで本出願人は特許文献２に見られる様に、洗浄水の供給通路と吸引通路の間にバイパス通路を設けてその間に電磁弁を設け、ポンプの運転を停止した後に電磁弁を開放し、且つ、ブロアーの運転をオーバーワークさせることにより、洗浄液の流出を防止するように工夫した流出防止装置を発明した。
【特許文献１】特許第３５６８８３７号公報
【特許文献２】特許第３２０２３６３号公報
【発明の開示】
【発明が解決しようとする課題】
【０００７】
ところが、上記特許文献２に記載の発明においては、通常の洗浄水供給用のポンプに加えて、バイパス通路の開閉をおこなう電磁弁を設け、さらに制御装置でその切換とブロアーのオーバーワークの制御をおこなうため、構成が複雑で高価な部品を多数使用しており、加えて、制御装置で複雑な制御が必要であるために、床面洗浄清掃機としてかなり高価な機種においては実施可能な技術であるが、特許文献１に記載されているような手軽に使用される「アップライト型の床面洗浄清掃機」などに搭載することは、コスト面からあきらめざるを得ないのが実状であった。
【０００８】
従って本発明の技術的課題は、簡素な構成のままで、洗浄清掃運転後にポンプの送水を停止しても洗浄水のパイプ内の残留がなく、また、床面の洗浄清掃をおこなったあとでそのまま放置しても洗浄水のボタ落ちが発生せず、衛生面が維持できる手軽で安価な床面洗浄清掃機用の洗浄水の滴下・流出防止装置を提供することである。
【課題を解決するための手段】
【０００９】
（１）  上記の技術的課題を解決するために、本発明の請求項１に係る床面洗浄清掃機における洗浄水の滴下・流出防止装置は、送水用ポンプによって送水ルートを通して送られて来る洗浄水の給水を受けながら、洗浄ブラシを回転又は往復運動することによって床面の洗浄を行い、ブラシ洗浄後の汚水を吸水／吸気ルートを通して真空源側に吸引するように構成した床面洗浄清掃機であって、上記送水ルートの途中にリターンルートを分岐し、このリターンルートの先端部にオリフィス部を設けて、このオリフィス部を上記吸水／吸気ルートに連通接続せしめたことを特徴としている。
【００１０】
（２）  また、本発明の請求項２に係る床面洗浄清掃機における洗浄水の滴下・流出防止装置は、前記送水ルートの先端部に複数の散水ノズルを備えたマニホールドを設け、これ等各散水ノズルのノズル面積の総和に対して、前記オリフィス部の連通径面積の比が、５対１以下に設定されていることを特徴としている。
【００１１】
（３）  さらに、本発明の請求項３に係る床面洗浄清掃機における洗浄水の滴下・流出防止装置は、前記床面洗浄清掃機の動作を停止する際に、予め設定したタイマーの時間分だけ、前記真空源による吸水／吸気運転が前記送水用ポンプによる送水運転よりも長く継続して、その後、真空源による吸水／吸気運転が停止するように構成したことを特徴としている。
【００１２】
上記（１）で述べた請求項１に係る手段によれば、床面洗浄清掃機の運転が停止された後で、真空源（ブロアー等）の吸引作用がオリフィス部及びリターンルートを通して送水ルートに対して効果的に及ぶため、送水ルート内に残留している洗浄水を洗浄ブラシ側に滴下させることなく、吸水／吸気ルートを通して真空源側に吸引することができるものであって、従って、運転停止時に送水ルートに残留した洗浄水が床面にボタ落ち（滴下）する問題を、送水ルートの途中にオリフィス部を有するリターンルートを分岐するだけの比較的簡単な構成によって、確実に解決することを可能にする。
【００１３】
また、上記（２）で述べた請求項２に係る手段によれば、前記マニホールドに配置される複数の散水ノズルのノズル面積の総和に対して、前記オリフィス部の連通径面積が、５対１以下に設定されているため、通常の洗浄清掃運転時にポンプより供給される洗浄水が効率よく洗浄ブラシ側に供給され、極めて少ない量の洗浄水のみが直接タンク側（真空源側）にリターンするだけで済むため、洗浄水の利用効率で言えば特にロスすることもなく、洗浄水を効率よく利用することを可能にする。
【００１４】
また、上記（３）で述べた請求項３に係る手段によれば、床面洗浄清掃機の動作を停止する際に、予め設定したタイマーの時間分だけ、真空源による吸水／吸水動作が送水ポンプによる送水動作よりも長く継続し、その後停止する様に構成したため、利用者が運転の停止を操作しただけで、自動的に残留洗浄水を吸引することができるものであって、操作性の良さを維持しつつ衛生面も維持することができる。
【発明の効果】
【００１５】
以上述べた次第で、本発明に係る床面洗浄清掃機における洗浄水の滴下・流出防止装置によれば、簡素な構成のままで、洗浄清掃運転後にポンプの送水を停止しても洗浄水のパイプ内の残留がなく、床面の洗浄をおこなったあとでそのまま放置しても衛生面が維持することができるものであって、流出した洗浄水の影響で通行人がスリップする様な危険の心配もない床面洗浄清掃機を、比較的低コストにて実現することができる優位性を備えている。
【発明を実施するための最良の形態】
【００１６】
以下に、本発明の実施の形態を図面と共に詳細に説明すると、図１は本発明に係る洗浄水の滴下・流出防止装置が実施されたダブルスキージ式床面洗浄清掃機の一例を示した斜視図であって、図中、符号１で全体的に示したダブルスキージ式床面洗浄清掃機（以下単に床面洗浄清掃機１という）は、機体１Ｔと、機体１Ｔの上面を覆う上面カバー体１Ａと、走行用車輪２と、上面カバー体１Ａの内部に設けた真空源としてのブロアー３と、ブロアー用モータ３Ｍと、例えば取付け用ファスナーの如き止め金具４Ａ…によって機体１Ｔの後部に対して着脱自在に構成した洗浄水タンク４と、後述するタイマーを含む操作部５を備えた操作ハンドル６と、機体１Ｔの前部に取付けたブラシケース体１Ｂとを備えている。
【００１７】
更に図１において、７は上記ブラシケース体１Ｂの内部に回転自在に取付けた洗浄ブラシ、７Ｍはこの洗浄ブラシ７を回転するブラシモータであって、洗浄ブラシ７の底面を除く外周面は、全長に渡って底面が開口されたブラシ室７Ｓ（図３参照）によって覆われている。また、８は上記洗浄ブラシ７をカバーしたブラシ室７Ｓを跨ぐように、その略中間部の外側部（外周部）に設けた吸水／吸気ルートとしての真空路で、この真空路８の前後に連設した前側及び後側の各ダクト状脚部８Ａ，８Ｂの下端部に開口形成されている前側と後側の吸込口８Ｘ，８Ｙが、上記洗浄ブラシ７の前部と後部に開口している。
【００１８】
上記吸水／吸気ルートを構成する真空路８は、汚水回収ダクト８Ｈを介して前記洗浄水タンク４の吸水／吸気口４Ｃに連通接続され、また、前記真空源としてのブロアー３は、排気ダクト３Ｋを通して上記洗浄水タンク４の排気口４Ｂに連通接続されていて、モータ３Ｍによってブロアー３が吸引運転されると、その吸引作用が排気ダクト３Ｋ→洗浄水タンク４→汚水回収ダクト８Ｈを通って真空路８に及び、更にその前後の各吸引口８Ｘ，８Ｙ（最終的には後述する吸込口２３Ｂ，２４Ｂ）に及んで、上記床面洗浄清掃機１の運転操作時に、上記洗浄ブラシ７周囲の床面ＦＬ（図３参照）に生じるブラシ洗浄後の汚水を、前記洗浄水タンク４に吸引回収（循環）すると共に、吸引後の排気を、上記の排気ダクト３Ｋを通してブロアー３の排気筒３Ｚから外気に排出するように構成されている。尚、図中太い実線で示したラインＩＮは、洗浄汚水の回収ルートで、太い二点鎖線で示したラインＯＵＴは、ブロアー３の排気ルートを示す。
【００１９】
更に図中、９Ｐは送水用のポンプ９の吸水作用によって前記洗浄水タンク４より吸水した洗浄水を、前記ブラシ室７Ｓの天井面に設けた複数の散水ノズル９Ｎ…（図３参照）を有するマニホールド９Ｍに送って、前記洗浄ブラシ７に散水する送水ルートとしての洗浄水給水パイプであって、前記汚水回収ダクト８Ｈを通して洗浄水タンク４に吸引回収されたブラシ洗浄後の汚水が、洗浄水タンク４の内部に設けた濾過装置（図示省略）で濾過されて、洗浄水として再び循環利用される仕組みに成っている。
【００２０】
更に図１において、符号１０で全体的に示したのは、上記開口されたブラシ室７Ｓの底面部に設けたダブルスキージ式のスキージユニットであって、このスキージユニット１０は、前後の開口縁に設けた前側スキージ１０Ａと後側スキージ１０Ｂとによって構成される。また、１０Ｃ，１０Ｃは前後のスキージ１０Ａ、１０Ｂの両サイドに設けた側部ガードであって、上記の洗浄ブラシ７は前後と両サイドをこれ等前後のスキージ１０Ａ，１０Ｂと側部ガード１０Ｃ，１０Ｃで囲まれた、上記ブラシケース体１Ｂの底面開口部分で回転して、底面ＦＬを洗浄する。
【００２１】
図２は、上記スキージユニット１０を取り外した状態を床面洗浄清掃機１の底面側から見た斜視図であって、図中１１，１１はスキージユニット１０の側部ガード１０Ｃ，１０Ｃの外側面に夫々取付けた左右の取付板、１１Ａ，１１Ａはこれ等左右の取付板１１，１１の上端部に設けた取付用の長孔で、この長孔１１Ａ，１１Ａを上記床面洗浄清掃機１の左右両側、具体的には前記機体１Ｔの左右両側面に突設した取付軸１２（一方は省略）に対して上下作動自在に装着すると共に、上記スキージユニット１０の四隅の上面と、上記機体１Ｔの底面１Ｚとの間に、スキージユニット１０を下方に弾発する複数のバネ１３…を介在することにより、スキージユニット１０の全体が、自重とバネ１３…の弾発作用によって床面ＦＬ（図３参照）を弾性的に押圧するように構成されている。
【００２２】
尚、図２において１Ｈは前記機体１Ｔの底面１Ｚに形成した洗浄ブラシ７用の開口部、２Ｆは底面１Ｚに取付けた走行用の前輪、１４は前記操作ハンドル６の下端部に取付けた係止板、１５はこの係止板１４を上面カバー体１Ａの側面に回動自在に取付けることにより、操作ハンドル６を床面洗浄清掃機１の前進及び後進方向に回動自在に取付けた取付軸、１６はバネの弾発力によって係止ピン１７を上記係止板１４の外周縁に凹設した複数の係合溝のいずれかに係合させることによって、床面洗浄清掃機１に対して操作ハンドル６を任意の角度に固定できるように構成したペダル式解放板であって、作業員等がこのペダル式解放板１６を踏むと、上記係止ピン１７による係止板１４の係合が解かれて、操作ハンドル６を前後に自由に回動できる仕組みに成っている。
【００２３】
以上の如く構成した操作ハンドル６は、床面洗浄清掃機１の機体１Ｔに対して前後方向に自在に屈折して運転操作をしやすくすると共に、図１の如く機体１Ｔに対して鉛直に立てた状態にして、不使用時の保管場所面積を少なくし、且つ、図示はしていないが、操作ハンドル６を機体１Ｔに対して前倒しにして前記洗浄水タンク４を外し、その状態で床面洗浄清掃機１の全体を鉛直に立てることで、保管場所をより少なくできる様に工夫されている。
【００２４】
次に、上述したスキージユニット１０の構成を上述した図２と、図３に示した断面図と共に詳しく説明すると、図中、符号１０Ｗで全体的に示したのは、平行な前後２本の主フレーム１０Ｘ，１０Ｙの左右両端部の間を、２本の横フレーム１０Ｅ，１０Ｅで連結固定することによって、全体を中央に開口部１０Ｈを備えた略四辺形に組立構成されたスキージフレームで、前後の主フレーム１０Ｘ，１０Ｙの断面形状は、夫々開口部が下向きの略コ字状に形成されている。これ等各主フレーム１０Ｘ，１０Ｙの開口された内部に対して、夫々ゴム材等で造った外側と内側の各可撓性ブレード２０Ａ，２１Ａと２０Ｂ，２１Ｂの各上端部を前後に間隔をあけて平行に嵌め込んだ後、これ等可撓性ブレードの間にスキージスペーサ２３，２４を嵌め込んでネジ止めすることによって、各２枚の可撓性ブレード２０Ａ，２１Ａと２０Ｂ，２１Ｂを、各主フレーム１０Ｘ，１０Ｙの内部に夫々間隔を保った状態でその上端部が固定されると共に、前後に前部と後部の各スキージ１０Ａ，１０Ｂが一体化されたダブルスキージ式のスキージユニット１０が組立られる仕組みに成っている。
【００２５】
以上の如く構成したスキージユニット１０は、前述の如く、前記左右の横フレーム１０Ｅ，１０Ｅに取付けた側板１１，１１を用いて、その開口部１０Ｈに洗浄ブラシ７の底部側を上から臨ませた状態で、機体１Ｔに対して上下作動自在に取付けられ、更にこの取付けに当たっては、前記真空路８の前後のダクト状脚部８Ａ，８Ｂの先端に開口形成した断面略筒状の吸引口８Ｘ，８Ｙが、前記主フレーム１０Ｘ，１０Ｙに設けた挿入穴を通して、上記各スキージスペーサ２３，２４の上面中央部に開口されている嵌込穴から、その内部空洞室２３Ｔ，２４Ｔ（図３参照）にスライド自在に挿入されて、これ等内部空洞室２３Ｔ，２４Ｔの外側の壁面に開口形成されている吸込口２３Ｂ，２４Ｂに対して、ブロアー３の吸引作用を及ぼすように構成されている。
【００２６】
上記スキージスペーサ２３，２４の底面形状は、図３に示すように前記床面洗浄清掃機１の進行方向（前進及び後進）に於ける前側に位置する外側可撓性ブレード２０Ａ，２０Ｂの自然な屈曲形状に相似の断面略Ｕ字状の曲面に形成されていて、これ等曲面の各外側面の部分に、長さ（横幅）が上記可撓性ブレード２０Ａ，２０Ｂに対して十分に短く、且つ、可撓性ブレード２０Ａ，２０Ｂの略中央部位置に、上述した吸込口２３Ｂ，２４Ｂが開口形成されていて、前側と後側のスキージ１０Ａ，１０Ｂに対して吸引作用を及ぼすように構成されている。
【００２７】
上述した図３は、上記ダブルスキージ式スキージユニット１０の動作を説明した側断面図であって、図面は床面洗浄清掃機１の前進時の状態を示したものであって、前進時と後進時には、図３に示す如く自重又は自重とバネ１３…の弾発力によって、スキージユニット１０の上面と機体１Ｔの底面１Ｚとの間に、常時隙間ＫＺが保持されて、各スキージ１０Ａと１０Ｂの可撓性ブレード２０Ａ，２１Ａと２０Ｂ，２１Ｂが床面ＦＬに弾性的に接するクッション作用が発揮される。
【００２８】
よって、床面洗浄清掃機１を前進又は後進させた際には、夫々の前側の外側可撓性ブレード２０Ａ又は２０Ｂが前記吸込口２３Ｂ又は２４Ｂのみを遮蔽し、また、その吸込口２３Ｂ，２４Ｂは図２で示した様に可撓性ブレード２０Ａ，２０Ｂの幅（長さ）に比べて十分に短く、ダクト状脚部８Ａ，８Ｂの吸引口８Ｘ，８Ｙの幅分（長さ分）だけあればよく、その程度の吸込口２３Ｂ，２４Ｂであれば粘度が高くなった洗浄汚水によって可撓性ブレード２０Ａ，２０Ｂと吸込口２３Ｂ，２４Ｂとが貼り付いて、吸込口２３Ｂ，２４Ｂを塞いだとしても（ブロアー３の吸引作用による吸着力も作用している）、貼り付いている部分以外の可撓性ブレード２０Ａ，２０Ｂの部分に生じる応力によって、上記の貼り付きを容易に解除することができる。
【００２９】
以上の如く構成した床面洗浄清掃機１において、本発明では図１及び図３に示す如く前記送水ルートを構成する洗浄水給水パイプ９の中間部分に、分岐部３０を用いてリターンルートを構成するバイパスパイプ３１を分岐接続すると共に、この吸引パイプ３１の先端部に設けた小径なオリフィス部３２を、前記吸水／吸気ルートを構成する真空路８の側面部に連通接続している。
【００３０】
図３に示した使用状態では、床面洗浄清掃機１が横方向に移動しながら、洗浄ブラシ７が矢印方向（反時計回転方向）に回転すると共に、前記ブロアー３の吸引作用が吸水／吸気ルートとしての真空路８に及ぼされていて、図の様に前後のスキージ１０Ａ，１０Ｂの可撓性ブレード２０Ａ，２１Ａと２０Ｂ，２１Ｂによって、両スキージ１０Ａ，１０Ｂの内部は負圧状態に維持され、特に床面洗浄清掃機１が前方に移動した際の後側スキージ１０Ｂに収集されるブラシ洗浄後の汚水は、上記ブロアー３の吸引作用によって、真空路８及び汚水回収ダクト８Ｈを通って前記図１に示した洗浄水タンク４に回収される。
【００３１】
ここで送水用のポンプ９の送水作用によりマニホールド９Ｍの散水ノズル９Ｎ…から供給される洗浄水は、ブラシ室７Ｓ内においてはほぼ大気圧の状態であるために、散水ノズル９Ｎ…より下方向に噴出されるが、もしもポンプ９を停止した場合でも、重力の作用によって下方に滴下することが容易に解る。
【００３２】
よって、通常であれば洗浄清掃運転を停止したあとにブロアー３の吸引作用だけ継続させていても、ブロアー３の吸引作用はブラシ室７Ｓ内には及ばないため、ブラシ室７Ｓ内に滴下する洗浄水を吸引することはできない。
【００３３】
ところが図３の実施例において汚水回収ダクト８Ｈ近傍の真空路８の側壁部分に連通接続したオリフィス部３２には、汚水回収ダクト８Ｈからの吸引作用が直接作用するため、ポンプ９から送水された洗浄水が部分的にバイパスパイプ３１を通じてオリフィス部３２に達すると、吸引作用によりそのまま図１の洗浄水タンク４に回収されることになる。
【００３４】
図４にはこの例を示し、（１）は通常運転時の状態を示している。
図４（１）において、矢印Ｓで示した通常の送水ルートに並行して、矢印Ｔで示したバイパスパイプ３１内のリターンルートにある洗浄水には、ブロアー３の吸引作用によって汚水回収ダクト８Ｈ側に回収されるが、その量はオリフィス部３２の径とマニホールド９Ｍの散水ノズル９Ｎ…の径の割合と、ポンプ９の送水量と、ブロアー３の吸引量と、細かくはスキージ１０Ａ，１０Ｂの密閉度合いによる負圧の程度によって変化することになる。
【００３５】
実施例においては、散水ノズル９Ｎを複数個所設け、その散水ノズル９Ｎ…の開口面積の総和に対して、オリフィス部３２の径を５対１以下に小さく抑えている。（例では散水ノズル９Ｎが６個所であるから、１個所の散水ノズルに比較しても同等以下の径としている）
【００３６】
図５に本発明に係る床面洗浄清掃機のオリフィス径比とリターン率の関係のグラフを示す。グラフでは横軸にオリフィス径と散水ノズルの径の総和の比をオリフィス径比として示し、縦軸にリターンルートを通過する洗浄水の流量とポンプ９の供給流量の比をリターン率として示した。
【００３７】
この様にオリフィス部３２の径が大きいと、通常運転時にリターンルートに回収される洗浄水の割合が多くなるが、オリフィス部３２を５対１以下（横軸の０．２以下）としてポンプ９の送水能力がオリフィス部３２での吸引量を大きく上回っていれば、確実に散水ノズル９Ｎ…への送水がおこなわれ、且つ、オリフィス部３２で回収される洗浄水の量が少なく、さらに、オリフィス部３２で回収された洗浄水は再度洗浄に使用されて問題ないため、洗浄水の効率的な利用に対してなんらロスすることもない。
【００３８】
但し、グラフから解る様に、吸引ダクト、即ち、汚水回収ダクト８Ｈの負圧の影響により、オリフィス部３２の径が４対１程度で、すでにリターン率が５０％の場合は、供給した洗浄水の半分がリターンルートを通ることになるから、オリフィス径比は好適にはグラフ上０．１（１０対１）程度が望ましく、洗浄水の効率的な利用が可能となる。
【００３９】
図４（２）は運転停止時の状態を示したものであるが、停止したあとの数秒間はブロアー３の吸引作用はＯＮのままで、ポンプ９の送水作用のみＯＦＦしており、その状態であれば図の様にマニホールド９Ｍ内に残留した洗浄水が矢印Ｒで示したリターンルートを通じてオリフィス部３２から吸気／吸水ルートとしての真空路８及び汚水回収ダクト８Ｈに吸引されることになる。
【００４０】
この状態を数秒続けることで、マニホールド９Ｍ内の洗浄水は完全に無くなり、その後ブロアー３を停止して、さらに床面洗浄清掃機１を移動したり外部より振動や衝撃をあたえても、マニホールド９Ｍ内から洗浄水が滴下して床面ＦＬやブラシ７を濡らすといった従来の欠点は再現せず、衛生面での安全が維持できる。
【００４１】
さらに運転の停止時に数秒間のタイマーを設け、ポンプ９の停止からブロアー３の停止まで遅延をあたえることで、利用者はこの吸引作用を意識することなく、常に送水ルートに洗浄水を残さない洗浄清掃機が実現できる。
【００４２】
前述の様に、オリフィス径比を０．１としてもリターン率が３０％程度は確保されているため、ポンプ９を停止したあとでブロアー３をオーバーワークさせれば、ほんの短時間でマニホールド９Ｍ内の洗浄水が吸引されることになる。
【００４３】
また、このタイマーに関してはマイコンを搭載した制御装置を利用したものであってもいいが、単にブロアー３の電源スイッチをＯＦＦする部分に遅延回路を付与しておき、全体の電源ＯＦＦの際にブロアー３だけ数秒間運転を継続するだけでもよく、その他、乾燥スイッチとしてブロアー運転のみを選択することを可能にさせたり、その構成と操作方法は任意である。
【００４４】
なお、実施例で使用したポンプ９は内部にピストンを有し、ピストンの前後に逆流防止弁を備えて交流電源によりピストンが駆動されて送水するタイプのものを想定しており、ポンプ９の送水動作を停止した状態ではポンプの上流と下流は完全に遮断され、ブロアー３の負圧がポンプを通過して洗浄水タンク４側に及ぶことはない。
【図面の簡単な説明】
【００４５】
【図１】本発明に係る洗浄水の滴下・流出防止装置が実施された床面洗浄清掃機の外観および内部構造を説明した斜視図。
【図２】本発明に係る洗浄水の滴下・流出防止装置が実施された床面洗浄清掃機の底面構成を説明した部分分解斜視図。
【図３】本発明に係る洗浄水の滴下・流出防止装置が実施された床面洗浄清掃機のスキージ室ならびにブラシ室の構成を説明した断面図。
【図４】本発明に係る洗浄水の滴下・流出防止装置が実施された床面洗浄清掃機の送水ルートとリターンルートの動作説明図。
【図５】本発明に係る洗浄水の滴下・流出防止装置が実施された床面洗浄清掃機のオリフィス径比とリターン率の関係を示したグラフ。
【符号の説明】
【００４６】
１            ダブルスキージ式床面洗浄清掃機
１Ｔ          機体
１Ｚ          底面
３            ブロアー
４            洗浄水タンク
６            操作ハンドル
７            洗浄ブラシ
７Ｓ          ブラシ室
８            吸水／吸気ルートとしての真空路
８Ａ，８Ｂ            ダクト状脚部
８Ｘ，８Ｙ            前側と後側の吸引口
９            ポンプ
９Ｐ          送水ルートとしての洗浄水給水パイプ
９Ｍ          マニホールド
９Ｎ          散水ノズル
１０          スキージユニット
１０Ａ，１０Ｂ        前側と後側のスキージ
１０Ｘ，１０Ｙ        スキージフレーム
２０Ａ，２１Ａ，２０Ｂ，２１Ｂ            可撓性ブレード
２３，２４            スキージスペーサ
２３Ｂ，２４Ｂ        吸込口
３０            分岐部
３１            リターンルートとしてのバイパスパイプ
３２            小径なオリフィス部
ＦＬ            床面
【図１】
2008253365.tif 000003
【図２】
2008253365.tif 000004
【図３】
2008253365.tif 000005
【図４】
2008253365.tif 000006
【図５】
2008253365.tif 000007